(57)【要約】【課題】作業者が誤って床に落下させてしまった場合でも従来構成に比べて透明防塵板が割れ難いレーザー墨出し器を提供する。【解決手段】鉛直上方に出射したレーザー光によって、床面上に設定した基準点の鉛直上方の天井面に光ポイントを形成するレーザー墨出し器において、ケース５の上部には、レーザー光を透過させる透明防塵板６，７と、透明防塵板６，７の周部をケース５との間に挟持するカバー８とが設けられる。ケース５の上面においてカバー８の周囲には、ケース５の上面からの突出量がカバー８よりも大きい緩衝材２２が設けられる。【選択図】図１
2006177821.tif 000002
【特許請求の範囲】
【請求項１】
レーザー光を出力するレーザー光源を有した本体部と、本体部を収納するケースと、床面上に設定した基準点の鉛直上方の天井面にレーザー光による光ポイントが形成されるようにケースに対して本体部を首振り自在に支持する支持部材とを備え、ケースにおいて前記レーザー光の出射方向の一面にはレーザー光を透過させる透明防塵板と、透明防塵板の周部をケースとの間に挟持するカバーとが設けられ、ケースにおいてカバーの周囲には、ケースの外側面からの突出量がカバーより大きい緩衝材が設けられていることを特徴とするレーザー墨出し器。
【請求項２】
前記緩衝材は、前記ケースにおいて前記透明防塵板が設けられた上面と上面に隣接する側面とに跨る形で前記カバーを挟んだ両側に位置する一対の主片と、各主片からそれぞれケースの側面に沿って使用時における下方に延長された側片と、ケースの側面に沿って側片に交わる向きに延長され隣接する側片同士を連結する連結片とを有することを特徴とする請求項１記載のレーザー墨出し器。
【発明の詳細な説明】
【技術分野】
【０００１】
本発明は、レーザー光を利用して墨出しを行うためのレーザー墨出し器に関するものである。
【背景技術】
【０００２】
従来から、この種のレーザー墨出し器には、床面上に設定された基準点（地墨点）の直上に設置されることによって、基準点の鉛直上方の天井面にレーザー光による光ポイントを形成するものがある。このレーザー墨出し器は、レーザー光を出力するレーザー光源１やレーザー光源１から出力されたレーザー光を集光する集光レンズ２を有した本体部３と、この本体部３を内装するケース５との間を、ケース５に対して本体部３を首振り自在に支持する支持部材としてのジンバル機構４によって連結している（本発明の実施形態を示す図４参照）。本体部３は、ケース５を床面などに設置した状態で、自重によってレーザー光の出射方向が鉛直方向の上向きになるように状態が維持される。
【０００３】
このケース５におけるレーザー光の出射方向の一面には、図６に示すように、レーザー光を透過させ且つ防塵する透明防塵板６が配設され、この透明防塵板６の周部をケース５との間に挟持するカバー８がケース５の上部に被せられる。透明防塵板６はカバー８とケース５との間に挟持されることによりケース５から外れるのを防止される。このレーザー墨出し器は、基準点の直上に設置された状態で、透明防塵板６を通って鉛直方向の上方に出射されるレーザー光によって上述した光ポイントを形成する。ここで、透明防塵板６にプラスチックを用いると充分な精度の光ポイントが得られないので、一般には、光学特性の優れたガラスが透明防塵板６に用いられている。なお、図示例は、鉛直方向において扇上に広がるレーザー光も出射するものであって、ケース５の上部の水平方向の側方にも透明防塵板７が設けられている（たとえば特許文献１参照）。
【０００４】
ところで、レーザー墨出し器は、レーザー光が出射される鉛直方向の上側に重量があるジンバル機構４を配設している関係上、作業者が誤って床に落としてしまうと、透明防塵板６側から落下しカバー８が直接床に当ってガラス製の透明防塵板６が割れてしまうことがあるので、特許文献１に記載のレーザー墨出し器では、落下の対策として、カバー８における透明防塵板６に重ならない部位で且つ透明防塵板６を挟んだ両側に位置する部位からレーザー光の出射方向に突出するリブ９を設けてある。この構成では、レーザー墨出し器が透明防塵板６側から落下したとしても、リブ９を設けてあるから、透明防塵板６には落下による衝撃力は直接作用せず、透明防塵板６が保護される。
【特許文献１】特開２００４−２８７７４号公報（第２−４頁、図１）
【発明の開示】
【発明が解決しようとする課題】
【０００５】
しかし、特許文献１に記載のレーザー墨出し器でも、落下による衝撃力が透明防塵板６に作用し難くはなるものの、リブ９を設けたカバー８の一部は透明防塵板６に重なっているので、リブ９に作用した衝撃力がカバー８を介して透明防塵板６に伝わって透明防塵板６が割れてしまう可能性がある。
【０００６】
本発明は上記事由に鑑みて為されたものであって、作業者が誤って床に落下させてしまった場合でも従来構成に比べて透明防塵板が割れ難いレーザー墨出し器を提供することを目的とする。
【課題を解決するための手段】
【０００７】
請求項１の発明は、レーザー光を出力するレーザー光源を有した本体部と、本体部を収納するケースと、床面上に設定した基準点の鉛直上方の天井面にレーザー光による光ポイントが形成されるようにケースに対して本体部を首振り自在に支持する支持部材とを備え、ケースにおいて前記レーザー光の出射方向の一面にはレーザー光を透過させる透明防塵板と、透明防塵板の周部をケースとの間に挟持するカバーとが設けられ、ケースにおいてカバーの周囲には、ケースの外側面からの突出量がカバーより大きい緩衝材が設けられていることを特徴とする。
【０００８】
この構成によれば、レーザー墨出し器が透明防塵板側から落下したとしても床面には緩衝材が当り、カバーが直接床面に当ることはない。緩衝材は、カバーの周囲に設けられているから、緩衝材に加わった衝撃はケースにおけるカバーおよび透明防塵板との非重合位置に加わることになり、透明防塵板に対しては勿論のこと、透明防塵板に一部が重なっているカバーに対しても落下による衝撃力が作用し難くなる。結果的に、落下による衝撃力がカバーを介して透明防塵板に伝わることがある従来構成に比べて透明防塵板が割れ難くなる。
【０００９】
請求項２の発明は、請求項１の発明において、前記緩衝材が、前記ケースにおいて前記透明防塵板が設けられた上面と上面に隣接する側面とに跨る形で前記カバーを挟んだ両側に位置する一対の主片と、各主片からそれぞれケースの側面に沿って使用時における下方に延長された側片と、ケースの側面に沿って側片に交わる向きに延長され隣接する側片同士を連結する連結片とを有することを特徴とする。
【００１０】
この構成によれば、ケースの側面にも緩衝材が配置されるから、レーザー墨出し器がケースの側面側から落下した場合にも、緩衝材の弾性によって衝撃が緩和されることになる。また、ケースを手で持つ際に緩衝材がすべり止めとして機能し、レーザー墨出し器が持ち易くなるという効果も期待できる。
【発明の効果】
【００１１】
本発明は、レーザー墨出し器が透明防塵板側から落下したとしても床面には緩衝材が当り、カバーが直接床面に当ることはない。緩衝材は、カバーの周囲に設けられているから、緩衝材に加わった衝撃はケースにおけるカバーおよび透明防塵板との非重合位置に加わることになり、透明防塵板に対しては勿論のこと、透明防塵板に一部が重なっているカバーに対しても落下による衝撃力が作用し難くなるという効果がある。結果的に、落下による衝撃力がカバーを介して透明防塵板に伝わることがある従来構成に比べて透明防塵板が割れ難くなる。
【発明を実施するための最良の形態】
【００１２】
本発明のレーザー墨出し器の基本的な構造は従来構成と同じであるから、以下の実施形態においては従来構成の説明と重複する点について同様の符号を用いて説明を省略する。また、以下ではレーザー墨出し器の使用時における向きを用いて説明する。
【００１３】
本実施形態で示すレーザー墨出し器は、図２に示すように、上下方向に細長い円筒状の墨出し器本体Ａと、墨出し器本体Ａの下端に開閉自在に連結された３本の支持脚１１とからなる。墨出し器本体Ａはさらに、図３に示すように、円筒体として形成された外殻としてのケース５と、このケース５内に収納された本体部３とから形成してあり、本体部３は直交交差する２軸１２，１３を有する支持部材としてのジンバル機構４を介してケース５に連結されて、ケース５の姿勢の如何に拘わらず、本体部３をその自重で鉛直状態に保とうとするものとなっている。ケース５および支持脚１１は合成樹脂（ここではポリカーボネート）から形成される。
【００１４】
支持脚１１は、上端部に設けられた軸１４によって状態をケース５の下端部に連結していると共に本体部３支持用の支持体をケース５と一緒に構成しており、開いた際に三脚として機能し、閉じた際には墨出し器本体Ａに連続して全体を一つの棒状の形態とするもので、１本の支持脚１１の内面には電源部１５が取り付けられており、支持脚１１を閉じれば支持脚１１間の空間に電源部１５が収まるようになっている。
【００１５】
ジンバル機構４によって上下方向のほぼ中央部がケース５内面に連結されている本体部３は、図３に示すように、その下部側に半導体レーザーであるレーザー光源１と集光レンズ２と駆動回路（図示せず）とを備えた光出力部Ｂが配設され、上部側に光出力部Ｂから上方に出力されたレーザー光の一部を偏向させるハーフミラーからなる偏向部材（図示せず）と偏向部材で偏向されたレーザー光を鉛直方向に扇状に広げる円筒レンズ１６（図１参照）とを備えた光学系が配設されたもので、上方に光を出力する上記光出力部Ｂには、下方にレーザー光を出力する下方基準点照射部１７も設けられている。
【００１６】
支持脚１１を開いてその下端を設置させることでレーザー墨出し器を置いた状態で光出力部Ｂを作動させれば、レーザー光源１から出力されるレーザー光は集光レンズ２で集光された後、ジンバル機構４の中心に設けられた開口部（図示せず）を通じて光分岐部材である偏向部材に至り、偏向部材を透過したレーザー光は鉛直方向の上向きに出射され、偏向部材で側方に向けて偏向されたレーザー光は円筒レンズ１６によって鉛直方向において扇状に広げられて出射される。使用時には、下方基準点照射部１７からのレーザー光が床面上に設定された基準点に一致するように位置合わせすれば、基準点の鉛直上方の天井面に偏向部材を透過したレーザー光により光ポイントを形成することができる。さらに、偏向部材で偏向されたレーザー光は壁面や天井面や床面に線状の光ラインを形成する。
【００１７】
ケース５の上部には、図１に示すように、鉛直方向の上向きに出射されるレーザー光を通過させる開口部１８と、円筒レンズ１６で扇状に広がるレーザー光を通過させる開口部１９とが設けられる。矩形板状の透明防塵板６，７は、レーザー光を透過させると共に外部からの塵埃に対して防塵するものであり、ガラスから形成される。２個の開口部１８，１９には透明防塵板６，７がそれぞれ周縁を開口縁に載置するように配置される。カバー８は合成樹脂（ここではポリカーボネート）から形成されており、一方の開口部１８に対応する窓穴２０と他方の開口部１９に対応する窓穴２１とが設けられる。このカバー８はケース５の上方から被せることで図２に示すようにケース５に対して着脱自在に装着される。カバー８を装着した状態で、一方の透明防塵板６は開口部１８の縁部と窓穴２０の縁部との間に挟持され、他方の透明防塵板７は開口部１９の縁部と窓穴２１の縁部との間に挟持される。
【００１８】
ところで、本実施形態のレーザー墨出し器は、図１および図２に示すように、ケース５においてカバー８と透明防塵板６，７とのいずれにも重ならない位置に、ゴム弾性を有する材料（ここでは熱可塑性ポリウレタン）からなる緩衝材２２が設けられる。本実施形態では、緩衝材２２はケース５と同時成形される。緩衝材２２は、カバー８の両側となる位置においてケース５の上面の周部とケース５の側面の上端部とに跨るようにケース５の上面の外周縁に沿って延長された一対の主片２３と、各主片２３からそれぞれ下方に延長された側片２４と、隣接する側片２４同士を連結する連結片２５とで構成される。各主片２３は、図４に示すように、カバー８よりもケース５の上面からの突出量が大きく設定されており、特に透明防塵板６の周囲の突出量を大きくするように上面が傾斜している。側片２４および連結片２５については後述する。
【００１９】
ここで、ケース５の上面においてカバー８に重なることなく緩衝材２２を配置できるように、カバー８は、図５に示すように、ケース５の上面の全面を覆うのではなく、図の左右方向の寸法がケース５の上面より小さく形成される。ただし、カバー８は透明防塵板６，７の周縁を覆うことができるように、図の左右方向において透明防塵板６，７よりは大きく形成される（図４参照）。
【００２０】
側片２４は、図１および図２に示すように、各主片２３の長手方向の両端部から下方にそれぞれ延長されており、本実施形態では４本設けてある。全ての側片２４はケース５の側面に沿って配置される。また、連結片２５は、隣接する側片２４の下端部同士を連結するようにケース５の側面に沿って配置される。ただし、別々の主片２３からそれぞれ延長された側片２４同士を連結する連結片２５は２本ずつ設けられている。つまり、隣接する側片２４同士は、１本の連結片２５と主片２３とにより連結されるか、あるいは２本の連結片２５により連結されることになる。
【００２１】
上記のように構成したレーザー墨出し器は、レーザー光が出射される鉛直方向の上側に重量があるジンバル機構４を配設している関係上、作業者が誤って床に落としてしまうと、透明防塵板６側から落下することがあるが、このとき緩衝材２２の主片２３が床面に当たるから、落下による衝撃力が透明防塵板６に直接作用することはない。しかも、緩衝材２２はケースの上面からの突出量がカバー８よりも大きく、カバー８が床面に当ることはないので、落下による衝撃力がカバー８を通して透明防塵板６，７に伝わることもなく、透明防塵板６，７が保護されることになる。
【００２２】
また、上述したようにケース５の側面には側片２４と連結片２５とが配置され、ケース５が上面だけでなく側面も緩衝材２２によって覆われるような形になるので、レーザー墨出し器がケース５の側面側から落下した場合にも、緩衝材２２の弾性によって透明防塵板６，７やジンバル機構４や本体部３に加わる衝撃が緩和されることになる。しかも、ケースを手で持つ際に緩衝材２２がすべり止めとして機能するので、緩衝材２２によりレーザー墨出し器が持ち易くなるという効果もある。
【００２３】
なお、本実施形態では、各支持脚１１の外側面の下部にも、緩衝材２２と同じ材料から形成された突起２６がそれぞれ支持脚１１の外側面から突出するように設けられている。この突起２６を設けたことによって、支持脚１１を閉じた状態でレーザー墨出し器が落下した場合に、突起２６が床面に当ることにより支持脚１１に加わる衝撃が緩和されるので、支持脚１１から墨出し器本体Ａに伝わる衝撃力が低減されるという利点がある。
【図面の簡単な説明】
【００２４】
【図１】本発明の実施形態を示す分解斜視図である。
【図２】同上の斜視図である。
【図３】同上の断面図である。
【図４】同上の要部の断面図である。
【図５】同上の上面図である。
【図６】従来例を示す要部の分解斜視図である。
【符号の説明】
【００２５】
１  レーザー光源
３  本体部
４  ジンバル機構（支持部材）
５  ケース
６，７  透明防塵板
８  カバー
２２  緩衝材
２３  主片
２４  側片
２５  連結片
【図１】
2006177821.tif 000003
【図２】
2006177821.tif 000004
【図３】
2006177821.tif 000005
【図４】
2006177821.tif 000006
【図５】
2006177821.tif 000007
【図６】
2006177821.tif 000008